(57)【要約】【課題】自転車に取り付けられている前かごを利用しながら、ペット動物を前かごに入れて運搬するにあたり、使い勝手が良く、ペット動物に対して安全なシートを提供する。【解決手段】シート１は、可撓性の平面状のシート本体６と、シート本体６の周縁部１９の有効長さを制限するためのひも２０およびひも２０の有効長さを調節するための挟み止め具２１とを備える。シート本体６が、前かご３の内面を全体的に覆いながら、前かご３の上縁部において折り返されかつ前かご３の上縁部の外面側に沿って延びるように取り付けられる。この状態で、ひも２０の有効長さが挟み止め具２１によって調節されることによって、シート本体６の、前かご３の上縁部の外面側に位置する周縁部１９が前かご３に密着するように絞られる。【選択図】図１
2007230363.tif 000002
【特許請求の範囲】
【請求項１】
自転車用前かごの内面を全体的に覆いながら、前かごの上縁部において折り返されかつ前かごの上縁部の外面側に沿って延びることが可能な寸法を有する、可撓性の平面状のシート本体と、
前記シート本体の周縁部の有効長さを制限するための有効長さ制限手段と
を備え、
前記シート本体が、前かごの内面を全体的に覆いながら、前かごの上縁部において折り返されかつ前かごの上縁部の外面側に沿って延びるように取り付けられるとともに、前記シート本体の、前かごの上縁部の外面側に位置する前記周縁部が前かごに密着するように、前記周縁部の有効長さを前記有効長さ制限手段によって制限した状態とされる、
自転車用前かごに取り付けるためのシート。
【請求項２】
ペット動物を自転車の前かごに入れて運搬するために用いられる、請求項１に記載の自転車用前かごに取り付けるためのシート。
【請求項３】
ペット動物の首輪と自転車のハンドルとをつなぐベルトと組み合わせて用いられる、請求項２に記載の自転車用前かごに取り付けるためのシート。
【請求項４】
ペット動物の首輪と前記シート本体とをつなぐためのものであって、前記シート本体にその一方端部が取り付けられる、ベルトをさらに備える、請求項２に記載の自転車用前かごに取り付けるためのシート。
【請求項５】
前記有効長さ制限手段は、前記シート本体の周縁部に沿って移動可能に通されるひもと、前記ひもの有効長さを調節するための有効長さ調節手段とを備える、請求項１ないし４のいずれかに記載の自転車用前かごに取り付けるためのシート。
【請求項６】
前記ひもは、ゴムひもからなる、請求項５に記載の自転車用前かごに取り付けるためのシート。
【請求項７】
前記シート本体の前記周縁部の互いに対向する２つの位置にそれぞれ設けられる提げ手をさらに備える、請求項１ないし６のいずれかに記載の自転車用前かごに取り付けるためのシート。
【発明の詳細な説明】
【技術分野】
【０００１】
この発明は、自転車用前かごに取り付けるためのシートに関するもので、特に、小型犬や猫などのペット動物を自転車の前かごに入れて運搬するために有利に用いられるシートに関するものである。
【背景技術】
【０００２】
自転車で外出するペット愛好家が、小型犬や猫などのペット動物を自転車の前かごに乗せている姿をしばしば見かける。
【０００３】
このような状況での便宜を図るため、たとえば特開平８−１１９１６８号公報（特許文献１）では、小型のペット動物を収容運搬するための自転車用ペットかごが提案されている。このペットかごは、ペット動物を、自転車の乗り手の前側の身近な場所、すなわち自転車のハンドルバーのすぐ後ろの位置に安全に収容し、ペット動物が騒いでもすぐに宥めることができるようにされている。
【０００４】
上述した自転車用ペットかごは、また、内袋を備え、これをペットかごの内面より取り外したとき、ペット動物を収容したまま、内袋単体で携帯することができるようにも配慮されている。
【０００５】
さらに、特許文献１では、上記のような自転車用ペットかごを提案した動機として、自転車に取り付けられている既存の前かごにペット動物を収容してしまうと、この前かごにそれ以外の荷物を収容運搬する余地が無くなるという不都合にも注目している。
【０００６】
しかしながら、上記のような不都合があるにも関わらず、自転車に取り付けられている既存の前かごにペット動物を乗せているペット愛好家が多いのは、それが最も手軽であるとの理由によるものと考えられる。
【特許文献１】特開平８−１１９１６８号公報
【発明の開示】
【発明が解決しようとする課題】
【０００７】
そこで、この発明の目的は、自転車に取り付けられている既存の前かごを利用しながら、ペット動物を前かごに入れて運搬するにあたり、ペット愛好家にとって使い勝手が良く、ペット動物に対して安全であり、また、前述した内袋としての機能も果たし得る、自転車用前かごに取り付けるためのシートを提供しようとすることである。
【課題を解決するための手段】
【０００８】
この発明は、上述した技術的課題を解決するため、次のような構成を備える、自転車用前かごに取り付けるためのシートに向けられる。
【０００９】
すなわち、この発明に係るシートは、自転車用前かごの内面を全体的に覆いながら、前かごの上縁部において折り返されかつ前かごの上縁部の外面側に沿って延びることが可能な寸法を有する、可撓性の平面状のシート本体と、このシート本体の周縁部の有効長さを制限するための有効長さ制限手段とを備える。
【００１０】
そして、シート本体が、前かごの内面を全体的に覆いながら、前かごの上縁部において折り返されかつ前かごの上縁部の外面側に沿って延びるように取り付けられるとともに、シート本体の、前かごの上縁部の外面側に位置する周縁部が前かごに密着するように、この周縁部の有効長さを上記有効長さ制限手段によって制限した状態とされることを特徴としている。
【００１１】
この発明に係るシートは、特に、ペット動物を自転車の前かごに入れて運搬するために有利に用いられる。この場合、ペット動物の首輪と自転車のハンドルとをつなぐベルトと組み合わせて用いられることが好ましい。あるいは、ペット動物の首輪とシート本体とをつなぐためのものであって、シート本体にその一方端部が取り付けられる、ベルトをさらに備えることが好ましい。
【００１２】
この発明において、上記有効長さ制限手段は、シート本体の周縁部に沿って移動可能に通されるひもと、このひもの有効長さを調節するための有効長さ調節手段とを備えることが好ましい。また、ひもは、ゴムひもからなることがより好ましい。
【００１３】
この発明に係るシートは、シート本体の周縁部の互いに対向する２つの位置にそれぞれ設けられる提げ手をさらに備えることが好ましい。
【発明の効果】
【００１４】
この発明によれば、シート本体が、自転車用前かごの内面を全体的に覆いながら、前かごの上縁部において折り返されかつ前かごの上縁部の外面側に沿って延びることが可能な寸法を有していて、このシート本体を前かごに取り付けるにあたって、可撓性のシート本体が、前かごの内面を全体的に覆いながら、前かごの上縁部において折り返されかつ前かごの上縁部の外面側に沿って延びるようにされるとともに、シート本体の、前かごの上縁部の外面側に位置する周縁部が前かごに密着するように、この周縁部の有効長さを有効長さ制限手段によって制限した状態とされるので、一般的な前かごであれば、どのような寸法および形状の前かごに対しても適正に取り付けることができる。この点で、自転車に備えられている既存の前かごに取り付けるのに適している。
【００１５】
また、この発明に係るシートが取り付けられた前かごは、ペット動物を入れて運搬するのに適した形態を与える。まず、シート本体は、ペット動物にとって快適な環境を与える。また、前かごの網目が比較的粗い場合であっても、シート本体がそれを覆うので、ペット動物の肢が網目に挟まれることがなく、安全である。また、シート本体は、その周縁部が前かごの上縁部を覆うように折り返されるので、比較的鋭利な前かごの上縁部でペット動物が怪我をするおそれがなく、安全である。
【００１６】
また、前かごに取り付けられたシートは、前かごに対して特別には固定されていない。したがって、たとえば、シート本体の周縁部での折り返しを戻すなどした後、上方へ持ち上げれば、シート本体が前かごの形状にほぼ沿った形状を維持したまま、シートを前かごから容易に取り外すことができる。このようにシートを前かごから取り出したとき、このシートを簡易なキャリーバッグとしても用いることができる。この場合、シート本体の周縁部の互いに対向する２つの位置に提げ手をそれぞれ設けておけば、なお便利である。
【００１７】
また、この発明に係るシートに備えるシート本体は、可撓性でかつ平面状のものであるので、それを地面または床面上に拡げれば、たとえば、ペット動物用のマットとしても使用することができる。
【００１８】
この発明に係るシートが、ペット動物を自転車の前かごに入れて運搬する際に用いられるとき、ペット動物の首輪と自転車のハンドルとをベルトでつなぐようにしたり、ペット動物の首輪とシート本体とをつなぐためのベルトがシート本体に取り付けられている場合には、このベルトでペット動物の首輪をつなぐようにしたりすると、ペット動物の脱落が防止され、より安全な状態を得ることができる。
【００１９】
この発明において、上記有効長さ制限手段が、シート本体の周縁部に沿って移動可能に通されるひもと、このひもの有効長さを調節するための有効長さ調節手段とを備えていると、簡易な操作でシート本体の周縁部の有効長さを無段階に調節できかつこの調節された有効長さを制限する状態を得ることができる。
【００２０】
また、ひもが、ゴムひもから構成されていると、上述した有効長さを調節するため操作がより容易になるとともに、シート本体の周縁部が前かごの上縁部の外面側に密着する状態をより容易に得ることができ、また、この密着する状態を、より確実に維持することができる。また、シートを前かごから取り外そうとする場合、有効長さ調節手段に対する操作を特に施すことなく、シートを前かごから抜き出すように単に持ち上げるだけで、簡単に取り外すことができる。このとき、ゴムひもは、その弾性に抗して、シート本体の周縁部が拡げられることを許容するからである。
【発明を実施するための最良の形態】
【００２１】
図１ないし図９は、この発明の第１の実施形態による自転車用前かごに取り付けるためのシート１を説明するためのものである。ここで、図１は、シート１を自転車２の前かご３に取り付けた状態を示す斜視図である。図２および図３は、シート１を展開した状態で示す図である。図２と図３とは、互いに逆の面を示したものである。図４は、前かご３から取り外したシート１をキャリーバッグとして用いる場合の状態を示す斜視図である。図５は、シート１と組み合わせて有利に用いられるベルト５を示す斜視図である。図６ないし図９は、シート１に備える要素を収納するためのポケット４を説明するための図である。
【００２２】
シート１は、図２および図３によく示されているように、可撓性の平面状のシート本体６を備えている。シート本体６は、たとえば、発泡ウレタンおよび綿からなるクッション材（図示せず。）を２枚の布地７および８で挟んだ状態で、縫い目９を破線で示すように、刺し縫いすることによって、キルト仕上げされている。また、シート本体６には、２枚の布地７および８に挟まれた状態で芯材（図示せず。）が装填されてもよい。なお、芯材の配置および分割態様については、後述するシート本体６の折りたたみを阻害しないように配慮される。
【００２３】
図１に示すように、シート１が前かご３に取り付けられた状態において、シート本体６の内側に向く面が図２に示され、外側に向く面が図３に示されている。図２に示したシート本体６の内側に向く面を与える布地７には、比較的柔らかいものが用いられ、他方、図３に示したシート本体６の外側に向く面を与える布地８には、固めのものが用いられる。
【００２４】
前述した縫い目９は、これが通る線に沿って、シート本体６が折り曲げられることを容易にするように作用する。したがって、シート本体６の４つのコーナー部分１０〜１３の各々において放射状に延びるように形成された複数の縫い目９は、これらコーナー部分１０〜１３の各々において比較的細かいひだが形成されることを容易にし、その結果、コーナー部分１０〜１３の隣り合うものの間にそれぞれ位置する４つの矩形の側壁部分１４〜１７を、中央に位置する矩形の底壁部分１８から立ち上がらせた箱状の形態となるように、シート本体６を変形させることが容易である。図１および図４に示したシート本体６は、箱状の形態をとっている。
【００２５】
シート本体６は、図１に示すように、前かご３の内面を全体的に覆いながら、前かご３の上端縁において折り返されかつ前かご３の上端縁の外面側に沿って延びることが可能な寸法を有している。
【００２６】
シート１は、シート本体６の周縁部１９の有効長さを制限するための有効長さ制限手段を備えている。有効長さ制限手段は、この実施形態では、ひも２０と、このひも２０の有効長さを調節するための有効長さ調節手段としての挟み止め具２１とを備えている。図示した挟み止め具２１は、そこに、ひも２０の二重に束ねられた部分が通され、このひも２０の二重に束ねられた部分を挟んで固定するもので、それに圧縮操作を加えている時のみ、ひも２０のスライドが許容される。
【００２７】
ひも２０は、シート本体６の周縁部１９に沿って位置している。より詳細には、ひも２０は、側壁部分１４〜１７の各々の端縁に設けられた筒状部２２〜２５ならびにコーナー部分１０〜１３の各々の端縁に設けられたループ状部２６〜２９に通され、それによって、シート本体６の周縁部１９に沿って移動可能とされる。ひも２０は、好ましくは、ゴムひもから構成される。
【００２８】
シート本体６の周縁部１９の互いに対向する２つの位置には、提げ手３０および３１がそれぞれ設けられる。この実施形態では、提げ手３０および３１は、比較的厚地のベルトから構成され、それぞれ、側壁部分１４および１６の端縁から張り出すように設けられる。
【００２９】
シート１は、ポケット４を備えている。ポケット４は、図６ないし図９を参照して後で詳述するように、シート１に備えるポケット４以外の要素、すなわち、シート本体６、ひも２０、挟み止め具２１、提げ手３０および３１、ならびにベルト５（図５参照）をすべて収納し、これらの持ち運びに際しての便宜を図るものである。
【００３０】
シート１が、図１に示すように、ペット動物３２を自転車２の前かご３に入れて運搬するために用いられる場合、ペット動物３２の首輪３３と自転車２のハンドル３４とをつなぐベルト５と組み合わせて用いられることが好ましい。ベルト５は、図５に単独で拡大されて示されている。
【００３１】
図５を参照して、ベルト５の一方端部には、ベルト通し具３５が取り付けられ、これによって、ベルト５の有効長さが調節可能とされる。また、ベルト５の各端部には、フック３６および３７がそれぞれ設けられる。図示したフック３６および３７は、外れ防止機能を有するものである。
【００３２】
次に、シート１の使用方法について説明する。
【００３３】
図１に示すように、自転車２の前かご３にシート１を取り付けるにあたっては、まず、シート本体６の底壁部分１８を前かご３の底面上に位置させ、シート本体６が前かご３の内面を全体的に覆う状態とされる。このとき、シート本体６のコーナー部分１０〜１３の各々においては、いくつかのひだが形成されながら、側壁部分１４〜１７の各々か前かご３の４つの側面の各々に沿って立ち上がる状態とされる。このとき、前かご３の平面寸法および形状に適合し得る形態がシート本体６に与えられるように、シート本体６のコーナー部分１０〜１３において、適当な数および形状のひだが形成される。
【００３４】
次に、シート本体６は、前かご３の上縁部において外側に折り返されるとともに、前かご３の上縁部の外面側に沿って延びるようにされる。シート本体６の折り返し位置は、前かご３の高さ方向寸法に適合するように選ばれる。
【００３５】
次に、挟み止め具２１が操作され、ひも２０の有効長さが調節され、それによって、シート本体６の、前かご３の上縁部の外面側に位置する周縁部１９が前かご３に密着するようにされる。このとき、ひも２０の有効長さを無段階に調節できるので、前かご３の平面寸法に適合させることが容易である。また、この実施形態では、ひも２０がゴムひもから構成されているので、シート本体６の周縁部１９が前かご３の上縁部の外面側に密着する状態をより容易に得ることができ、また、この密着する状態をより確実に維持することができる。
【００３６】
以上のようにしてシート１が前かご３に取り付けられた状態で、小型犬のようなペット動物３２が前かご３に入れられる。このとき、シート本体６は、ペット動物３２にとって快適な環境を与える。また、前かご３の網目が比較的粗い場合であっても、シート本体６がそれを覆うので、ペット動物３２の肢が網目に挟まれることがなく、安全である。また、前かご３の上縁部は、折り返されるシート本体６によって覆われるので、たとえば、図１に示すように、ペット動物３２がその前肢を前かご３の上縁部に乗せても、比較的鋭利な前かご３の上縁部でペット動物３２が怪我をするおそれがなく、安全である。
【００３７】
上述のように、ペット動物３２を前かご３に入れて自転車２にて運搬する際、ベルト５を用いることが好ましい。より具体的には、ベルト５の一方端部に設けられたフック３６をペット動物３２の首輪３３に係合させ、ハンドル３４のポスト部分に他方端部を巻いた状態としながら、フック３７をベルト５自身に係合させることによって、ペット動物３２の首輪３３と自転車２のハンドル３４とをベルト５でつなぐ状態とされる。これによって、ペット動物３２の脱落が防止され、より安全な状態を得ることができる。
【００３８】
前かご３に取り付けられたシート１は、前かご３に対して特別には固定されていない。したがって、たとえば、シート本体６の周縁部１９での折り返しを戻すなどした後、上方へ持ち上げれば、シート本体６が前かご３の形状にほぼ沿った形状を維持したまま、シート１を前かご３から容易に取り出すことができる。このとき、ひも２０がゴムひもから構成されていれば、その弾性に抗して、シート本体６の周縁部１９が拡げられることを許容するため、前かご３からの取り出しをより容易に行なえる。
【００３９】
上述のように、シート１を前かご３から取り出せば、図４に示すように、このシート１を簡易なキャリーバッグとして用いることができる。シート１がこのようなキャリーバッグ状態にあるときには、これに適当な荷物を入れたり、あるいは、ペット動物を入れたりして持ち運ぶことができる。
【００４０】
この状態において、２つの提げ手３０および３１は、シート１によって形成されたキャリーバッグの持ち運びに際して便宜を図る。また、シート本体６の側壁部分１４〜１７の各端縁に沿って設けられた筒状部２２〜２５は、適当な「腰」を有しているので、キャリーバッグ状態での開口の形状を維持し、ひいてはキャリーバッグの形状を適正に維持するように作用している。
【００４１】
なお、図４に示したキャリーバッグ状態は、図２および図３に示したシート本体６の展開状態から、ひも２０の有効長さを短くし、シート本体６の周縁部１９を絞ることによっても得ることができる。
【００４２】
また、シート本体６は、可撓性でかつ平面状のものであるので、それを地面または床面上に拡げれば、たとえば、ペット動物用のマットとして用いることができる。この場合、シート本体６は、図２に示した面、すなわち布地７によって与えられる面を上に向けることが好ましい。
【００４３】
シート１が不要となり、これを持ち運ぶときには、前述したように、シート本体６等がポケット４に収納される。図６には、シート本体６等を収納した状態にあるポケット４の外観が示されている。図７は、ポケット４のシート本体６への取り付け構造を示す図である。図８および図９は、ポケット４へのシート本体６等の収納方法を説明するための断面図である。
【００４４】
ポケット４は、図３によく示されているように、シート本体６の周縁部１９の近傍であって、側壁部分１４上に位置するように、シート本体６に取り付けられている。図７に示すように、ポケット４は、その上辺４１に沿ってのみシート本体６に縫い付けられている。
【００４５】
ポケット４は、袋状のポケット本体４２と、ポケット本体４２の開口を閉じるためのフラップ状の表側蓋４３および裏側蓋４４とを備えている。なお、表側蓋４３および裏側蓋４４の機能、言い換えると使い分けについては後述する。図３ならびに図１および図４に示した状態において、表側蓋４３は、ポケット本体４２の表側に位置し、裏側蓋４４はポケット本体４２の裏側に位置している。
【００４６】
ポケット４にシート本体６等を収納する方法としては、２つの方法がある。図８には第１の収納方法が示され、図９には第２の収納方法が示されている。
【００４７】
第１および第２の収納方法のいずれであっても、まず、シート本体６は、ポケット本体４２内に収納し得る大きさに折りたたまれる。このとき、シート本体６の折りたたみに伴って、ひも２０ならびに提げ手３０および３１も同時に折りたたまれる。
【００４８】
図８に示した第１の収納方法では、ポケット本体４２内に、まず、表側蓋４３が収納され、次いで、折りたたまれたシート本体６等が収納される。また、必要に応じて、ベルト５も収納される。そして、裏側蓋４４が、ポケット本体４２の開口を覆うように垂らされる。なお、図８および図９において、折りたたまれかつポケット本体４２内に収納されたシート本体６等は、その一部のみが省略的に図示され、全体の概略的な輪郭が破線で図示されている。
【００４９】
他方、図９に示した第２の収納方法では、まず、折りたたまれたシート本体６および裏側蓋４４を取り込みながら、ポケット本体４２が裏返される。そして、表側蓋４３が、裏返されたポケット本体４２の開口を覆うように垂らされる。
【００５０】
図８に示した第１の収納方法および図９に示した第２の収納方法のいずれを採用しても、シート本体６等を収納したポケット４は、外観的には、共通して図６に示すような形態となる。しかしながら、図６に示したポケット４は、図８に示した収納方法を採用した場合であるとして説明すると、裏側蓋４４の端縁部には、ループ状部４５が設けられ、ポケット本体４２には、ループ状部４５を受け入れるボタン４６が縫い付けられている。これらループ状部４５およびボタン４６によって、裏側蓋４４の閉じられた状態が維持される。他方、表側蓋４３にも同様のループ状部４７が設けられ、ポケット本体４２の裏面側にも、ボタン４６に対応するボタン４８が縫い付けられていて、ループ状部４７がボタン４８を受け入れることによって、図９に示す、表側蓋４３の閉じた状態が維持される。
【００５１】
また、図１、図３および図４に示した各状態においては、表側蓋４３のループ状部４７がボタン４６を受け入れることによって、表側蓋４３の閉じた状態が維持されることができる。
【００５２】
なお、表側蓋４３および裏側蓋４４の各々の閉じた状態を維持するため、他の着脱可能な係合手段、たとえばスライドファスナ、面ファスナ、ホックなどが用いられてもよい。
【００５３】
ポケット４は、上述したように、シート本体６等を収納して持ち運ぶ際に用いられるほか、図１または図４に示した状態において、小物入れとしても用いることもできる。すなわち、図１または図４に示した状態において垂らされている表側蓋４３を持ち上げると、ポケット本体４２の開口が現れるため、ポケット本体４２への小物の出し入れを容易に行なうことができる。
【００５４】
図１０および図１１は、この発明の第２の実施形態に係るシート１ａを説明するためのものであり、図１０は図１に対応し、図１１は図２に対応している。図１０および図１１において、図１または図２に示した要素に相当する要素には同様の参照符号を付し、重複する説明は省略する。
【００５５】
前述した第１の実施形態では、ベルト５がシート１とは別に用意されたが、第２の実施形態に係るシート１ａでは、ベルト５ａがシート本体６に取り付けられている。ベルト５ａは、その一方端部がシート本体６のたとえば側壁部分１６上に取り付けられ、その他方端部にフック３６が設けられている。また、ベルト５ａには、ベルト通し具３５が取り付けられ、これによって、ベルト５ａの有効長さが調節可能とされる。
【００５６】
ベルト５ａを使用するにあたっては、ベルト５ａの端部に設けられたフック３６をペット動物３２の首輪３３に係合させるだけでよい。これによって、ペット動物３２の脱落が防止され、より安全な状態を得ることができる。
【００５７】
図１２は、この発明の第３の実施形態に係るシート１ｂを説明するためのものであり、図２または図１１に対応している。図１２において、図２または図１１に示した要素に相当する要素には同様の参照符号を付し、重複する説明は省略する。
【００５８】
第３の実施形態に係るシート１ｂでは、２本のベルト５ａおよび５ｂがシート本体６に取り付けられている。２本のベルト５ａおよび５ｂは、シート本体６の対角線方向に対向する位置に配置されるのが好ましい。より具体的には、第１のベルト５ａがシート本体６のたとえば側壁部分１６上に取り付けられ、第２のベルト５ｂがシート本体６のたとえば側壁部分１４上に取り付けられる。
【００５９】
第３の実施形態によれば、２本のベルト５ａおよび５ｂの各々の端部に設けられたフック３６をともにペット動物３２の首輪３３に係合させることが行なわれる。したがって、ベルト５ａおよび５ｂは、ペット動物３２の首輪３３から２方向へ延びる状態となり、ペット動物３２をより安定に保持することができる。
【００６０】
なお、第２および第３の実施形態のように、ベルトがシート本体に取り付けられる場合、その取付位置や本数については、必要に応じて種々に変更することができる。
【００６１】
以上、この発明を図示した実施形態に関連して説明したが、この発明の範囲内において、その他種々の変形例が可能である。
【００６２】
たとえば、図示の実施形態では、ひも２０の有効長さを調節するための有効長さ調節手段として、挟み止め具２１を用いたが、他の形式の止め具を用いても、さらには、ひも２０を二重に束ねた状態で結ぶことによって有効長さを調節するようにしてもよい。
【００６３】
また、図示の実施形態では、シート本体６の周縁部１９の有効長さを制限するための有効長さ制限手段として、シート本体６の周縁部１９に沿って連続して延びるひも２０および挟み止め具２１を用いたが、たとえば、シート本体６におけるコーナー部分１０〜１３の各々にひだを形成するように、側壁部分１４〜１７の隣り合うものの間で互いに近接した状態を維持することができるファスナ、ホック、ボタン、あるいは別々のひもなどが用いられてもよい。
【００６４】
また、図示の実施形態では、シート１、１ａおよび１ｂは、ペット動物３２を前かご３に入れて運搬するために用いられたが、ペット動物以外の物品を入れて運搬するために用いられてもよい。
【図面の簡単な説明】
【００６５】
【図１】この発明の第１の実施形態によるシート１を自転車２の前かご３に取り付けた状態を示す斜視図である。
【図２】シート１を展開した状態で示す図である。
【図３】シート１を展開した状態で示す図であって、図２に示した面とは逆の面を示したものである。
【図４】前かご３から取り外したシート１をキャリーバッグとして用いる場合の状態を示す斜視図である。
【図５】シート１と組み合わせて有利に用いられるベルト５を示す斜視図である。
【図６】シート１に備えるシート本体６等を付属のポケット４に収納した状態を示す斜視図である。
【図７】ポケット４の取り付け構造を示す断面図である。
【図８】ポケット４へのシート本体６等の第１の収納方法を説明するための断面図である。
【図９】ポケット４へのシート本体６等の第２の収納方法を説明するための断面図である。
【図１０】この発明の第２の実施形態によるシート１ａを自転車２の前かご３に取り付けた状態を示す斜視図である。
【図１１】図１０に示したシート１ａを展開した状態で示す図である。
【図１２】この発明の第３の実施形態によるシート１ｂを自転車２の前かご３に取り付けた状態を示す斜視図である。
【符号の説明】
【００６６】
１，１ａ，１ｂ  シート
２  自転車
３  前かご
４  ポケット
５，５ａ，５ｂ  ベルト
６  シート本体
１９  周縁部
２０  ひも
２１  挟み止め具
２２〜２５  筒状部
２６〜２９  ループ状部
３０，３１  提げ手
３２  ペット動物
３３  首輪
３４  ハンドル
３６，３７  フック
【図１】
2007230363.tif 000003
【図２】
2007230363.tif 000004
【図３】
2007230363.tif 000005
【図４】
2007230363.tif 000006
【図５】
2007230363.tif 000007
【図６】
2007230363.tif 000008
【図７】
2007230363.tif 000009
【図８】
2007230363.tif 000010
【図９】
2007230363.tif 000011
【図１０】
2007230363.tif 000012
【図１１】
2007230363.tif 000013
【図１２】
2007230363.tif 000014